(57)【要約】      （修正有）【課題】乗りかご上スペースを干渉することがなく、かご内で据え付けることができる確実で低コストな取り付けを可能にするエレベータ用空調装置の取付構造を提供する。【解決手段】乗りかご２の側板１０に形成された空気流通口と、これら空気流通口を挟む両側の側板１０に形成された取付固定具挿入口と、外側補強部材２０と、側板１０の室内側の面に配置され、外側補強部材２０と共に側板１０に固定された取付用ブラケット３０と、この取付用ブラケット３０に緩衝用連結部材４３を介して取り付けられた一体型の空調装置本体４０と、この空調装置本体４０を覆うカバーと、を備える。【選択図】図４
2008037613.tif 000002
【特許請求の範囲】
【請求項１】
エレベータの乗りかごの側壁に形成された空気流通部を挟む両側の前記側壁に形成された取付固定具挿入部と、
前記空気流通部を挟む両側の前記側壁の室外側の面に配置された外側補強部材と、
前記空気流通部を挟む両側の前記側壁の前記乗りかご室内側の面に配置され、前記外側補強部材に固定された取付用ブラケットと、
前記取付用ブラケットに取り付けられた空調装置本体と、
前記空調装置本体を覆うカバーと、
を備えることを特徴とするエレベータ用空調装置の取付構造。
【請求項２】
前記空気流通口は、前記側壁の補強枠部材を除いた領域に形成されていることを特徴とする請求項１記載のエレベータ用空調装置の取付構造。
【請求項３】
前記外側補強部材は、補強板と、前記補強板から突出して前記取付固定具挿入部に挿入された締結手段とが一体に設けられてなり、
前記取付用ブラケットは、前記締結手段が貫通した状態で固定されることを特徴とする請求項１または２記載のエレベータ用空調装置の取付構造。
【請求項４】
前記取付用ブラケットは、前記側壁から室内側へ突出する腕部と、前記側壁の内側面に沿って配置される取付部と、を備えたＬ字状の補強構造材でなり、
前記空調装置本体の両側は、両側に本体側ブラケットが設けられ、
前記腕部上に前記本体側ブラケットが緩衝部材を介在して載置されていることを特徴とする請求項１乃至請求項３のいずれか一項に記載されたエレベータ用空調装置の取付構造。
【請求項５】
前記乗りかごの床面から前記カバーの下端部までの高さが１８５ｃｍ以上になるように設定されていることを特徴とする請求項１乃至請求項４のいずれか一項に記載されたエレベータ用空調装置の取付構造。
【請求項６】
エレベータの乗りかごの側壁に、空気流通口と、前記空気流通口の両側に位置する取付固定具挿入口と、を形成する工程と、
補強板と、前記補強板から突出して前記取付固定具挿入口に挿入された締結手段と、が一体に設けられてなる外側補強部材を、乗りかご室内から前記空気流通口を通して乗りかご室外に移動させ、前記締結手段を前記側壁外側から内側へ向けて前記取付固定具挿入口に貫通させる工程と、
乗りかご内へ突出させる腕部と、前記側壁の内側面に沿って配置させる取付部とを有し、前記取付部に締結手段挿通口が形成された、Ｌ字状の補強構造材でなる取付用ブラケットを用意し、前記側壁の内側面より乗りかご室内へ突出した前記締結手段が前記ボルト挿通口に挿通される状態に前記取付用ブラケットを配置させ、前記締結手段に被手決手段を緊締する工程と、
一体型の空調装置本体の両側に本体側ブラケットを固定し、前記本体側ブラケットを、前記取付用ブラケットの前記腕部上に緩衝部材を介して載置する工程と、
前記空調装置本体を覆うカバーを固定する工程と、
を備えることを特徴とするエレベータ用空調装置の取付方法。
【発明の詳細な説明】
【技術分野】
【０００１】
本発明はエレベータ用空調装置に関し、さらに詳しくは、乗りかご室内に据え付けた一体型空調装置の取付構造およびその取付方法に関する。
【背景技術】
【０００２】
エレベータの乗りかご用空調装置としては、乗りかごの上に室内ユニットと室外ユニットとを配置したもの（例えば、特許文献１参照）が知られている。この他に、空調ユニットが乗りかごの上に配置され、空調ユニットからダクトを介して連通するように接続された吹き出し装置を乗りかご室内に備えるものも知られている（例えば、特許文献２参照）。
【特許文献１】特開平５−３１９７４３号公報
【特許文献２】特開２００５−２８０９０１号公報
【発明の開示】
【発明が解決しようとする課題】
【０００３】
しかしながら、上記した従来技術のように、乗りかごの上に空調ユニットなどを載置する場合、乗りかごが昇降路の最上位置にあるときの昇降路の天井面と乗りかご上部との間の寸法（オーバーヘッド寸法）の変更を余儀なくされる場合があった。また、最上位置での乗りかご上方の省スペース化を図る必要があるため、乗りかご上への空調ユニットなどの設置には制約があった。また、乗りかごの上には、各種の設備が搭載されているため、さらに空調ユニットなどを追加配置することは設計上の問題点があった。
【０００４】
そこで、本発明の目的は、乗りかごの上のスペース(オーバーヘッド寸法)に干渉することがなく、乗りかご内での取付作業で簡単且つ確実に低コストで据え付けることができる空調装置の取付構造および取付方法を提供することにある。
【課題を解決するための手段】
【０００５】
本発明の第１の特徴は、エレベータの乗りかごの側壁に形成された空気流通口と、前記空気流通口を挟む両側の前記側壁に形成された取付固定具挿入口と、前記空気流通口を挟む両側の前記側壁の室外側の面に配置された外側補強部材と、前記空気流通口を挟む両側の前記側壁の室内側の面に配置され、前記外側補強部材に固定された取付用ブラケットと、前記取付用ブラケットに取り付けられた、一体型の空調装置本体と、前記空調装置本体を覆うカバーと、を備えることを要旨とする。
【０００６】
本発明の第２の特徴は、エレベータの乗りかごの側壁に、空気流通口と、前記空気流通口の両側に位置する取付固定具挿入口と、を形成する工程と、補強板と、前記補強板から突出して前記取付固定具挿入口に挿入されたボルトと、が一体に設けられてなる外側補強部材を、乗りかご室内から前記空気流通口を通して乗りかご室外に移動させ、前記ボルトを前記側壁外側から内側へ向けて前記取付固定具挿入口に貫通させる工程と、乗りかご内へ突出させる腕部と、前記側壁の内側面に沿って配置させる取付部とを有し、前記取付部にボルト挿通口が形成された、Ｌ字状の補強構造材でなる取付用ブラケットを用意し、前記側壁の内側面より乗りかご室内へ突出した前記ボルトが前記ボルト挿通口に挿通される状態に前記取付用ブラケットを配置させ、前記ボルトにナットを緊締する工程と、一体型の空調装置本体の両側に本体側ブラケットを固定し、前記本体側ブラケットを、前記取付用ブラケットの前記腕部上に緩衝部材を介して載置する工程と、前記空調装置本体を覆うカバーを固定する工程と、を備えることを要旨とする。
【発明の効果】
【０００７】
本発明によれば、既存の乗りかごに対して、乗りかごの側壁に、空気流通部と取付固定具挿入部とを形成するだけで、外側補強部材と、取付用ブラケットと、空調装置本体と、カバーとを、乗りかご室内の作業で、容易且つ確実に取り付けることができる。
【０００８】
また、本発明によれば、乗りかご上のオーバーヘッド寸法を変更することなく、低コストで空調装置を据え付けることができる。
【発明を実施するための最良の形態】
【０００９】
以下、本発明の実施の形態に係るエレベータ用空調装置の取付構造およびその取付方法の詳細を図面に基づいて説明する。
【００１０】
（エレベータ用空調装置の取付構造）
図１は本発明の実施の形態に係る取付構造を適用して取り付けられたエレベータ用空調装置（以下、空調装置という。）１を示す斜視図であり、乗りかご２の室内を示している。本実施の形態おいて、空調装置１は、乗りかご２の側壁としての側板１０の上部に据え付けられている。なお、本実施の形態では、空調装置１をドアの側方に位置する側板に配置したが、ドアと対向する背面側の側板（背面板）に据え付けてもよい。
【００１１】
本実施の形態に係る空調装置１は、図３に示す、乗りかご２の側板１０に形成された空気流通口１１Ａ，１１Ｂと、これら空気流通口１１Ａ，１１Ｂを挟む両側の側板１０に形成された取付固定具挿入口１２と、図２に示す、外側補強部材２０と、側板１０の室内側の面に配置され、外側補強部材２０と共に側板１０に固定された取付用ブラケット３０と、この取付用ブラケット３０に固定された一体型の空調装置本体４０と、この空調装置本体４０を覆うカバー５０と、を備えて大略構成されている。
【００１２】
側板１０の裏面側には、上下方向に沿って補強枠部材１３が設けられている。本実施の形態では、強度を確保するために、この補強枠部材１３を切断せずに残している。このため、補強枠部材１３が設けられた領域を残して２つの分離された空気流通口１１Ａ，１１Ｂが形成されている。なお、本実施の形態では、側板１０に形成された空気流通口１１Ａ，１１Ｂの高さは、乗りかご２の床面からカバー５０の下端部までの高さが、１８５ｃｍ以上の高さに設定されている。
【００１３】
本実施の形態において、取付固定具挿入口１２は、図１および図３に示すように、空気流通口１１Ａおよび空気流通口１１Ｂを挟む両側（水平方向両側）にそれぞれ上下に沿って２つ開口されている。
【００１４】
外側補強部材２０は、長手方向に対して直交する方向で切断した断面が例えばコ字状のチャネル鋼材でなり、側板１０の裏面側に当接する添板部２１に上記取付固定具挿入口１２と対応する穴（図示省略する）が形成され、この穴にボルト２２の先端部が側板１０の裏面側に当接面から突出する状態でボルト２２の頭部が添板部２１に固定されている。このため、外側補強部材２０を側板１０の外側面に位置決めして、ボルト２２を取付固定具挿入口１２に直ちに挿入できるため作業性がよく、またボルト２２や外側補強部材２０が昇降路内に落下するおそれを抑制できる。なお、本実施の形態では、ボルト２２が添板部２１に固定されているが、固定されていなくともよい。
【００１５】
取付用ブラケット３０は、図２、図４、および図５に示すように、側板１０の室内側の面に当接された板状の取付部３１と、取付部３１の上端で折り曲げられてこの取付部３１と直角をなす腕部３２とを有する。取付部３１の下端部は、腕部３２とほぼ平行をなすように室内側に折り曲げられたカバー取付片３３が形成されている。このカバー取付片３３には、ねじ穴３３Ａが形成されている。取付部３１には、外側補強部材２０のボルト２２と対応する位置にボルト挿通口としての一対の取付穴３１Ａ，３１Ａが開設されている。取付用ブラケット３０は、側板１０から突出する外側補強部材２０のボルト２２を取付部３１の取付穴３１Ａに通し、ボルト２２にナット２３を螺合させることにより確実に固定されている。
【００１６】
腕部３２上面における取付部３１の近傍には、カバー係止片３４が設けられている。このカバー係止片３４の下部には、嵩上げのためにＵ字状に折り曲げられた部分を有する。腕部３２の先端部は、下方に折り曲げられた補強片取付部３５が形成されている。補強片取付部３５とカバー係止片３４の中間部には、Ｌ字状に折り曲げられた補強片３６が渡るように固定されている。この補強片３６は、カバー係止片３４のぐらつきを防止する補強作用を有する。この取付用ブラケット３０の取付部３１および腕部３２には、チャネル材のような補強構造を有している。腕部３２には、所定間隔で一対の取付穴３２Ａ，３２Ａが開設されている。
【００１７】
空調装置本体４０は、一般の空調装置の室内外ユニットが一体化される一体型の空調装置であり、側板１０と対向する裏面側で熱交換用空気の流通を行う。この空調装置本体４０の前面には、下部に冷却風を吹き出す吹き出し口と、上部に乗りかご室内の空気を吸い込む吸気口とがある。
【００１８】
図２、図４、および図５に示すように、空調装置本体４０の両側部には、水平方向沿ってＬ字状のチャネル材でなるブラケット４１が固定されている。図４に示すように、このブラケット４１の水平板部４２には、上記腕部３２に形成した取付穴３２Ａ，３２Ａと対応する位置に一対の取付穴４２Ａ，４２Ａが開設されている。
【００１９】
図４に示すように、ブラケット４１を腕部３２に搭載することにより、空調装置本体４０を取付用ブラケット３０に取り付けることができるが、ブラケット４１と腕部３２との間には、緩衝用連結部材４３が介在される。この緩衝用連結部材４３は、中間に緩衝部材４４が設けられ、緩衝部材４４の両側に互いに同軸的に配置されたボルト部４５が設けられている。なお、緩衝部材４４としては、ゴム材、シリコーンを主原料とする非常にやわらかい特異な分子構造を有するゲル状素材（α−ゲル：登録商標）、バネ部材など各種の緩衝機能を有するものを用いることができる。図５に示すように、緩衝用連結部材４３は、両側のボルト部４５が、腕部３２の取付穴３２Ａと水平板部４２の取付穴４２Ａに挿通され、それぞれワッシャ４６を介してナット４７で緊締されている。
【００２０】
空調装置本体４０の裏面側には、図示しない空気流通口に図示しないフィルタが配置され、図４に示すように、パッキン４８が空調装置本体４０裏面の空気流通口ならびに側板１０に形成された空気流通口１１Ａ，１１Ｂを取り囲むように配置されている。なお、このパッキン４８は、空調装置本体４０の揺動を吸収できる程度に幅寸法が設定されている。
【００２１】
図１および図２に示すように、カバー５０は、空調装置本体４０の裏面以外を覆う筐体であり、空調装置本体４０の前面に設けられた冷却風を吹き出す吹き出し口（図示省略する。）と吸気口（図示省略する。）とに対応した領域に、複数の穴が集合して形成された、吹き出し領域５１と吸気領域５２とを有する。
【００２２】
このカバー５０は、図２に示すように、上部壁部５３の側板１０近傍の両側位置には、上記取付用ブラケット３０の上部に設けられたカバー係止片３４に引っ掛けるＬ字状のフック部５４が設けられている。また、カバー５０の底部壁部の側板１０近傍の両側位置には、取付用ブラケット３０の下部に設けられたカバー取付片３３に重なる取付片５６が設けられている。この取付片５６には、カバー取付片３３に形成されたねじ穴３３Ａに合致するねじ穴（図示省略する。）が形成されている。取付片５６のねじ穴とカバー取付片３３のねじ穴３３Ａを合わせてねじ５７を螺合させることにより、カバー５０を取付用ブラケット３０から外れないように固定することができる。
【００２３】
このようなエレベータ用空調装置の取付構造では、一体型の空調装置本体４０を乗りかご２の室内の側板１０に取り付けたことにより、乗りかご２の上に空調装置の室外ユニットなどを搭載する必要がなく、乗りかご２のオーバーヘッド寸法を変更する必要がない。このため、乗りかご２上の設備配置の設計も変更することもない。
【００２４】
また、本実施の形態では、外側補強部材２０と取付用ブラケット３０とが、側板１０の空気流通口１１Ａ，１１Ｂの両側に設けられるため、乗りかご２内からこれら空気流通口１１Ａ，１１Ｂを通して乗りかご２の外側へ外側補強部材２０を移動させて取り付けることができる。このため、本実施の形態では、取付作業を安全且つ低コストで行うことができる。特に、本実施の形態では、外側補強部材２０には、ボルト２２とが一体に設けられているため、外側補強部材２０を乗りかご２の外側に出してボルト２２を側板の取付固定具挿入口１２に挿入すればよいため、作業がし易く、外側補強部材２０を昇降路に落下させる不具合が発生することを抑制できる。
【００２５】
また、本実施の形態では、取付用ブラケット３０の腕部３２の上に緩衝用連結部材４３を介して空調装置本体４０側のブラケット４１を結合しているため、空調装置本体４０に含まれている例えばコンプレッサなどの振動が乗りかご２へ伝わることを抑制できる。このため、エレベータ用空調装置１からの騒音を低減することができる。
【００２６】
さらに、従来のように乗りかごの天井近傍に冷却風の吹き出し口があり冷却風による冷ややかさが感じにくかったものに比較して、本実施の形態では、天井よりも低い側板１０に設けた空調装置本体４０から吹き出す冷却風を直接乗客に当て易い。このように、従来ではエレベータの乗った場合に諦めていた涼しさを、本実施の形態のエレベータ用空調装置の取付構造を適用すれば実現することができる。
【００２７】
（エレベータ用空調装置の取付方法）
以下、本実施の形態に係るエレベータ用空調装置の取付方法を説明する。
【００２８】
まず、本実施の形態では、図３に示すように、乗りかご２の側板１０に空気流通口１１Ａ，１１Ｂと、これらの空気流通口１１Ａ，１１Ｂの両側にそれぞれ一対の取付固定具挿入口１２，１２を形成する。この工程は、側板１０の裏面側に設けられた補強枠部材１３の位置を予め確認しておき、この補強枠部材１３が設けられた領域を切断しないようにする。
【００２９】
図４に示すように、空気流通口１１Ａ，１１Ｂを取り囲むようにパッキン４８を側板１０の内側面に取り付けておく。なお、このパッキン４８の取付は、取付用ブラケット３０を取り付けた後に行ってもよい。
【００３０】
次に、乗りかご２の室内側から外側補強部材２０を、空気流通口１１Ａもしくは空気流通口１１Ｂから乗りかご２の室外側に出し、図３に示すように、側板１０に形成された取付固定具挿入口１２に、外側から外側補強部材２０のボルト２２を室内側に挿入させる。
【００３１】
そして、側板１０の室内側に突出したボルト２２が、取付用ブラケット３０の取付部３１に形成されている取付穴３１Ａに挿通されるように取付用ブラケット３０を位置合わせする。そして、取付穴３１Ａから突出したボルト２２にナット２３を螺合させて取付用ブラケット３０を外側補強部材２０と共に側板１０に固定させる。
【００３２】
次に、一体型の空調装置本体４０の両側にブラケット４１を取り付ける。そして、取付用ブラケット３０の腕部３２の上に緩衝用連結部材４３を介してブラケット４１を載せる。このとき、緩衝用連結部材４３の上下のボルト部４５を、それぞれブラケット４１の取付穴４２Ａ、腕部３２に形成した取付穴３２Ａに挿通し、ワッシャ４６を介してナット４７で緊締する。
【００３３】
そして、図２に示すように、カバー５０で空調装置本体４０を覆いつつ、取付用ブラケット３０に設けられたカバー係止片３４に、カバー５０に設けられたフック部５４を引っ掛ける。その後、カバー５０の下部を側板１０に近づけて、取付用ブラケット３０の下部に設けられたカバー取付片３３に、カバー５０の下部に設けられた取付片５６を重ね合わせる。そして、これらカバー取付片３３と取付片５６とをねじ５７で固定する。このような手順により、エレベータ用空調装置の取付が完了する。
【００３４】
本実施の形態に係るエレベータ用空調装置の取付方法によれば、既存のエレベータの乗りかごに対して、乗りかご室内での簡単かつ安全な取付作業により、低コストで空調装置１を据え付けることができる。
【００３５】
また、本実施の形態では、外側補強部材２０と取付用ブラケット３０とが、側板１０の空気流通口１１Ａ，１１Ｂの両側に設けられるため、乗りかご２内からこれら空気流通口１１Ａ，１１Ｂを通して乗りかご２の外側へ外側補強部材２０を手で搬送させて取り付けることができる。
【００３６】
特に、本実施の形態に係るエレベータ用空調装置の取付方法では、外側補強部材２０には、ボルト２２とが一体に設けられているため、外側補強部材２０を乗りかご２の外側に出してボルト２２を側板の取付固定具挿入口１２に挿入すればよいため、作業がし易く、外側補強部材２０を昇降路に落下させる不具合が発生することを抑制できる。
【００３７】
（その他の実施の形態）
上述した実施の形態の開示の一部をなす論述および図面はこの発明を限定するものであると理解すべきではない。この開示から当業者には様々な代替実施の形態、実施例および運用技術が明らかとなろう。
【００３８】
例えば、上記した実施の形態では、空気流通口１１Ａ，１１Ｂを２つに形成したが、補強枠部材１３が存在しない側板１０に空気流通口を形成する場合は１つ開口部を形成しても勿論よい。
【００３９】
また、上記した実施の形態では、取付用ブラケット３０により空調装置本体４０の上部をブラケット４１を介して載置する構成であるが、空調装置本体４０に対してブラケット４１の位置を重心の側方に配置してもよいし、取付用ブラケット３０の腕部３２に対して直接空調装置本体４０を緩衝部材を介して載置する構成としても勿論よい。
【図面の簡単な説明】
【００４０】
【図１】本発明の実施の形態に係るエレベータ用空調装置の取付構造を示す斜視図。
【図２】本発明の実施の形態に係るエレベータ用空調装置の取付構造のカバーを縦に切断した状態を示す断面図。
【図３】本発明の実施の形態に係るエレベータ用空調装置の取付構造における側板に形成する空気流通口および取付固定具挿入口を示す平面図。
【図４】本発明の実施の形態に係るエレベータ用空調装置の取付構造のカバーを除いた分解側面図。
【図５】本発明の実施の形態に係るエレベータ用空調装置の取付構造のカバーを除いた側面図。
【図６】本発明の実施の形態に係るエレベータ用空調装置の取付構造のカバーを除いた正面図。
【図７】本発明の実施の形態に係るエレベータ用空調装置の取付構造のカバーを除いた平面図。
【符号の説明】
【００４１】
１  空調装置
１０  側板
１１Ａ，１１Ｂ  空気流通口
１３  補強枠部材
２０  外側補強部材
３０  取付用ブラケット
３１  取付部
３２  腕部
３３  カバー取付片
３４  カバー係止片
４０  空調装置本体
４１  ブラケット
４３  緩衝用連結部材
４４  緩衝部材
５０  カバー
【図１】
2008037613.tif 000003
【図２】
2008037613.tif 000004
【図３】
2008037613.tif 000005
【図４】
2008037613.tif 000006
【図５】
2008037613.tif 000007
【図６】
2008037613.tif 000008
【図７】
2008037613.tif 000009